(57)【要約】【課題】  対物レンズの視野ズレによる信号劣化を発生させて、より確実にオフセット調整を行うことができるとともに、振動下においても対物レンズが合焦点およびその合焦点近傍に到達する危険性を確実に回避することのできるオフセット調整方法を得る【解決手段】  ピックアップのレーザを発光させた状態で、対物レンズをディスクとの合焦点から外すようにフォーカス方向とトラッキング方向に移動させ、この移動状態における前記ピックアップの出力信号から得られたフォーカスエラー信号やトラッキングエラー信号を基準値に調整する。【選択図】        図２
2006031814.tif 000002
【特許請求の範囲】
【請求項１】
ピックアップのレーザを発光させた状態で、対物レンズをディスクとの合焦点から外すようにフォーカス方向とトラッキング方向に移動させ、この移動状態における前記ピックアップの出力信号から得られたフォーカスエラー信号やトラッキングエラー信号を基準値に調整することを特徴とする光ディスク再生装置のオフセット調整方法。
【請求項２】
対物レンズをトラッキング方向に可動範囲限界を超えて移動させ、対物レンズ位置の保持を行なう電磁力発生用の固定ヨークとピックアップの可動部枠体とを圧接させることを特徴とする請求項１記載の光ディスク再生装置のオフセット調整方法。
【発明の詳細な説明】
【技術分野】
【０００１】
この発明は、光ディスク再生装置において、ピックアップのレーザを発光させた状態で、フォーカスエラー信号（以下、ＦＥと称する）、トラッキングエラー信号（以下、ＴＥと称する）に対するオフセット調整を行なう光ディスク再生装置のオフセット調整方法に関するものである。
【背景技術】
【０００２】
この種の光ディスク再生装置のオフセット調整方法は、実際の再生状態とするために、ピックアップのレーザを発光させ、対物レンズをフォーカス方向にのみ移動させて、ディスクとの合焦点およびその合焦点近傍から十分遠ざけて、ディスクからの反射光が皆無とみなせる状態でオフセット調整を行なっていた。
【０００３】
従来の光ディスク再生装置のオフセット調整方法は、上記のように対物レンズをフォーカス方向にのみ移動させてディスクとの合焦点および合焦点近傍から遠ざけたものであるから、移動体に搭載した場合には、振動によって対物レンズがフォーカス方向に移動し、ディスクとの合焦点およびその合焦点近傍に到達することがある。この場合、ディスクからの反射光が対物レンズに入射してオフセット調整不良を発生し、これにより、プレイアビリティー低下並びに再生不良に至る。また、対物レンズの保持は、電磁力によるもののみであるから、振動下における対物レンズの振動を抑制するのに限界があるという課題があった。また、対物レンズをトラッキング方向にシフトさせて調整するもの（例えば、特許文献１参照）もあるが、対物レンズをシフトさせないで調整した場合と、シフトして調整した場合との比較を行い、その変化により調整値を決定しているが、調整を確実にできないという課題があった。
【０００４】
【特許文献１】特開２００２−９２９１４号公報
【発明の開示】
【発明が解決しようとする課題】
【０００５】
この発明は、上記のような課題を解決するためになされたもので、対物レンズの視野ズレによる信号劣化を発生させて、より確実にオフセット調整を行うことができるとともに、振動下における対物レンズの振動を抑制して合焦点およびその合焦点近傍に到達する危険性を確実に回避することのできるオフセット調整方法を得ることを目的とする。
【課題を解決するための手段】
【０００６】
この発明に係るオフセット調整方法は、ピックアップのレーザを発光させた状態で、対物レンズをディスクとの合焦点から外すようにフォーカス方向とトラッキング方向に移動させ、この移動状態における前記ピックアップの出力信号から得られたフォーカスエラー信号やトラッキングエラー信号を基準値に調整するものである。
【発明の効果】
【０００７】
この発明によれば、オフセット調整において、対物レンズをフォーカス方向とトラッキング方向に移動させるようにしたので、振動下において対物レンズがフォーカス方向に移動しても、合焦点およびその合焦点近傍に到達する危険性を確実に回避することのできる。この結果、ピックアップの視野特性による信号劣化を意図的に発生させ、ディスクからの反射光によるフオーカスエラー信号・トラッキングエラー信号による振幅変化を抑え、オフセット調整を精度良く行なうことができる。
【発明を実施するための最良の形態】
【０００８】
実施の形態１．
図１は光ディスク再生装置に用いられる光ピックアップの要部を示す斜視図、図２はこの発明のオフセット調整方法を実施する回路構成を示すブロック図、図３は動作を説明するフローチャートである。
【０００９】
先ず、図１について、光ピックアップを説明する。光ピックアップ１は光ディスク（図示を省略）の径方向に動作する再生ベース（図示を省略）上に配設されており、断面矩形状の枠体２に一体に設けられレーザ駆動回路（図示を省略）で起動されたレーザ（図示を省略）からの光を光ディスク上で集光させる対物レンズ３と、この対物レンズ３を光ディスクに対して進退方向（フォーカシング方向。図１において、矢印Ｆ方向で示す）に移動させるフォーカスアクチュエータ４と、対物レンズ３を光ディスクの周方向（トラッキング方向。図１において矢印Ｔで示す）に移動させるトラッキングアクチュエータ５とで概略構成されている。
【００１０】
枠体２の開口部２ａ内には再生ベース上に立設されたヨーク６が非接触状態で挿入され、枠体２の外壁部にはフォーカシング用コイル７が巻回されており、ヨーク６とフォーカシング用コイル７とはフォーカスアクチュエータ４を構成している。フォーカシング用コイル７の両端末７ａおよび７ｂは再生ベース上に立設された壁部８にそれぞれ張力を持って支持され、電源（図示を省略）に接続されている。
【００１１】
枠体２のトラッキング方向両端面には、フォーカシング用コイル７とは絶縁体（図示を省略）で隔てられた状態でトラッキング用コイル９が配設され、再生ベース上であってトラッキング用コイル９にそれぞれ対向する近接位置ではマグネット１０が配設されており、このトラッキング用コイル９とマグネット１０とはトラッキングアクチュエータ５を構成している。トラッキング用コイル９の両端末９ａおよび９ｂは壁部８にそれぞれ張力を持って支持され、電源（図示を省略）に接続されている。
【００１２】
枠体２は４本のコイル端末、即ちフォーカシング用コイル７の両端末７ａおよび７ｂ、トラッキング用コイル９の両端末９ａおよび９ｂで壁部８に対して片持ち梁状にかつ矢印Ｆ方向およびＴ方向への移動が可能なように弾性的に支持された可動部である。
【００１３】
このため、光ピックアップ１は、トラッキングアクチュエータ５への制御信号印加前状態では、枠体２の開口部２ａの中央部（トラッキング中立位置）にヨーク６が配置されるように構成されている。なお、コイル端末は可動部のサスペンションを構成し、各コイル端末の表面上には絶縁被膜（図示を省略）が施されている。
【００１４】
図２はオフセット調整方法を実施する回路構成を示すブロック図であり、ピックアップ１のレーザを起動するレーザ駆動回路２１と、ピックアップ１からのＡ、Ｂ、Ｃ、Ｄ、Ｅ、Ｆ信号に基づいて、フォーカスエラー信号ＦＥ、トラッキングエラー信号ＴＥを生成するとともに、レーザ駆動回路２１に信号を送るＲＦ増幅回路２２と、このフォーカスエラー信号ＦＥ、トラッキングエラー信号ＴＥを入力するサーボ回路２３と、このサーボ回路２３からのフォーカスエラー信号ＦＥを増幅してピックアップ１に供給するフォーカスドライバ２４と、サーボ回路２３からのトラッキングエラー信号ＦＥを増幅してピックアップ１に供給するトラッキングドライバ２５と、フォーカスドライバ２４、トラッキングドライバ２５、サーボ回路２３を制御するＣＰＵ等の制御回路２６とにより構成されている。なお、フォーカスエラー信号ＦＥは、上記のＡ、Ｂ、Ｃ、Ｄ信号の「（Ａ＋Ｃ）−（Ｂ＋Ｄ）」を演算することにより、また、トラッキングエラー信号ＦＥは、上記の信号Ｅ，Ｆの（Ｅ−Ｆ）を演算することにより得られる。
【００１５】
次に動作について説明する。
図３はオフセット調整順序を説明するフローチャートである。このオフセット調整は実際の再生状態で行うために、レーザ駆動回路２１によりピックアップ１のレーザを発光させた後、制御回路２６でフォーカスドライバ２４、トラッキングドライバ２５、サーボ回路２３を制御する。
【００１６】
そして、ステップＳＴ１では、サーボ回路２３のフォーカスサーボＯＮ、トラッキングサーボＯＮとする。次いで、ステップＳＴ２では、制御回路２６によりフォーカスドライバ２４を介して、対物レンズ３をフォーカス方向に移動させる。ステップＳＴ３では、この移動に要する時間が一定時間経過したかを判断し、一定時間経過後、ステップＳＴ４では、制御回路２６によりトラッキングドライバ２５を介して対物レンズ３をトラッキング方向に移動させる。ステップＳＴ５では、この移動に要する時間が一定時間経過したかを判断する。
【００１７】
ステップＳＴ６では、オフセット調整を開始し、対物レンズ３をディスクとの合焦点から外すようにフォーカス方向とトラッキング方向に移動させた状態におけるピックアップの出力信号から得られたフォーカスエラー信号やトラッキングエラー信号を従来周知の方法により基準値に調整する。ステップＳＴ７では、フォーカスエラー信号やトラッキングエラー信号を基準値に調整後、オフセット調整終了したかを判断し、ＹＥＳであれば、オフセット調整を終了する。
【００１８】
以上のように、この実施の形態１によれば、ピックアップのレーザを発光させた状態で、対物レンズをディスクとの合焦点から外すようにフォーカス方向とトラッキング方向に移動させ、この移動状態における前記ピックアップの出力信号から得られたフォーカスエラー信号やトラッキングエラー信号を基準値に調整するようにしたので、搭載機器が車両のような振動体であっても、対物レンズが合焦点およびその合焦点近傍に移動する危険性を確実に回避することができ、フォーカスエラー信号ＦＥ、トラッキングエラー信号ＴＥによる振幅変化を抑えることができる。その結果、ピックアップ１の視野特性による信号劣化を意図的に発生させることができ、オフセット調整を精度良く行なうことができる。
【００１９】
また、このオフセット調整時、対物レンズ３を、トラッキング方向へ可動範囲限界を超えて移動させることにより、可動部枠体２が固定部ヨーク６に圧接する。この結果、対物レンズ３の保持は電磁力だけでなく、枠体２とヨーク６との圧接による摩擦力により行われるため、振動等による対物レンズ３の変動を確実に抑制することができ、対物レンズが振動によって合焦点およびその合焦点近傍に到達する危険性をより確実に回避することができる。
【図面の簡単な説明】
【００２０】
【図１】光ディスク再生装置に用いられる光ピックアップの要部を示す斜視図である。
【図２】この発明のオフセット調整方法を実施する回路構成を示すブロック図である。
【図３】動作を説明するフローチャートである。
【符号の説明】
【００２１】
１  ピックアップ、２  枠体、３  対物レンズ、４  フォーカスアクチュエータ、５  トラッキングアクチュエータ、６  ヨーク、７  フォーカシング用コイル、８  壁部、９  トラッキング用コイル、１０  マグネット、１１  トラッキングアクチュエータ、２１  レーザ駆動回路、２２  ＲＦ増幅回路、２３  サーボ回路、２４  フォーカスドライバ、２５  トラッキングドライバ、２６  制御回路。
【図１】
2006031814.tif 000003
【図２】
2006031814.tif 000004
【図３】
2006031814.tif 000005